(57)【要約】【課題】出力用紙の折り畳み手段を備えた画像形成装置において、プレビュー機能で折り畳み後の仕上がりを容易に確認できるようにする。【解決手段】折畳設定手段５で、折畳条件を入力する。プリントキー16を押下し、原稿画像の読取りを開始する。ADFに載せられた原稿を、読取手段１により読み取り、画像記憶手段２に記憶する。折畳条件で設定された折り方と折り幅の通りに、原稿画像が折り畳まれた場合に作られる折り目を計算する。プレビュー用の画像が作成され、プレビュー表示制御手段６を介して液晶ディスプレイ８に、プレビュー画像と折り目を、折畳みサイズ単位ごとにプレビュー表示する。プレビュー表示された原稿画像と折り目を確認し、折畳みの設定を変更する場合は、もう一度折畳みの設定を入力する。新しい設定でのプレビュー表示を確認して印刷すると、プレビューで確認した通りの折畳みが行われる。【選択図】図１
2007201761.tif 000002
【特許請求の範囲】
【請求項１】
画像を入力する読取手段と、前記読取手段で入力した画像を記憶する画像記憶手段と、折畳条件を設定する折畳設定手段と、前記画像記憶手段から読み出した画像を表示する表示手段と、前記折畳条件に従って折り畳んだ場合の一区画分の画像を前記表示手段に表示するように制御するプレビュー表示制御手段と、前記画像記憶手段から読み出した画像を出力用紙に印刷する印刷手段と、印刷した出力用紙を前記折畳条件通りに折り畳む折畳手段とを具備することを特徴とする画像形成装置。
【請求項２】
前記プレビュー表示制御手段に、前記折畳一区画分の画像を前記表示手段に収まる最大の大きさで表示させる手段を備えたことを特徴とする請求項１記載の画像形成装置。
【請求項３】
前記プレビュー表示制御手段に、前記折畳一区画分の画像の縦横比を前記表示手段に収まる最大の大きさになるように変えて表示させる手段を備えたことを特徴とする請求項２記載の画像形成装置。
【請求項４】
前記出力用紙の一方向にのみ折り目がつくように折り畳む場合の折り目に平行な方向の表示幅を設定する表示幅設定手段を備え、前記プレビュー表示制御手段に、折り幅を前記表示手段の他方向の幅に合わせるとともに、折り目に平行な方向は前記表示幅設定手段で設定された表示幅で表示させる手段を備えたことを特徴とする請求項１記載の画像形成装置。
【請求項５】
前記表示幅設定手段は、折り目に平行な方向の出力用紙幅より短い任意の値を設定できることを特徴とする請求項４記載の画像形成装置。
【請求項６】
前記プレビュー表示制御手段に、前記出力用紙の一方向にのみ折り目がつくように折り畳む場合の折り幅を前記表示手段の他方向の幅に合わせて最大に表示させる手段を備えたことを特徴とする請求項１記載の画像形成装置。
【請求項７】
折り目に平行な方向の表示中心位置を設定する手段を備えたことを特徴とする請求項６記載の画像形成装置。
【請求項８】
前記表示手段に表示している画像の表示部分を移動する移動指示を入力する手段を備え、前記プレビュー表示制御手段に、前記移動指示に従って画像の表示部分を移動する手段と、前記移動指示によって移動する距離を、前記折畳一区画分の画像の幅の整数分の１とする手段とを備えたことを特徴とする請求項１〜７のいずれかに記載の画像形成装置。
【請求項９】
入力した画像の全範囲を示した画像中の任意の位置を表示中心位置として選択する手段を備え、前記プレビュー表示制御手段に、前記表示中心位置を中心として前記表示手段に前記折畳一区画分の画像を表示させる手段を備えたことを特徴とする請求項１〜７のいずれかに記載の画像形成装置。
【請求項１０】
前記表示手段に表示している画像の表示部分を移動するように指示する移動指示を入力する手段と、前記プレビュー表示制御手段に、前記移動指示に従って画像の表示部分を移動して、入力した画像の四隅または隣り合う四隅の中間または入力画像の中心を表示させる手段を備えたことを特徴とする請求項１〜７のいずれかに記載の画像形成装置。
【請求項１１】
画像を入力し、入力した画像を記憶し、折畳条件を入力し、記憶した画像を前記折畳条件に従って折畳一区画分の画像を表示し、記憶した画像を印刷指示に従って出力用紙に印刷し、印刷した出力用紙を前記折畳条件に従って折り畳むことを特徴とする画像形成の制御方法。
【請求項１２】
前記折畳一区画分の画像を表示可能な最大の大きさで表示することを特徴とする請求項１１記載の画像形成の制御方法。
【請求項１３】
前記折畳一区画分の画像の縦横比を、表示可能な最大の大きさになるように変えて表示することを特徴とする請求項１２記載の画像形成の制御方法。
【請求項１４】
前記出力用紙の一方向にのみ折り目がつくように折り畳む場合の折り目に平行な方向の表示幅を入力し、折り幅を表示可能な最大の表示幅に合わせるとともに、折り目に平行な方向については入力された表示幅で表示することを特徴とする請求項１１記載の画像形成の制御方法。
【請求項１５】
折り目に平行な方向の出力用紙幅より短い任意の値を設定することを特徴とする請求項１４記載の画像形成の制御方法。
【請求項１６】
前記出力用紙の一方向にのみ折り目がつくように折り畳む場合の折り幅を、表示可能な最大の幅で表示することを特徴とする請求項１１記載の画像形成の制御方法。
【請求項１７】
折り目に平行な方向の表示中心位置を設定することを特徴とする請求項１６記載の画像形成の制御方法。
【請求項１８】
入力された移動指示に従って、前記折畳一区画分の画像の幅の整数分の１だけ、画像の表示部分を移動することを特徴とする請求項１１〜１７のいずれかに記載の画像形成の制御方法。
【請求項１９】
入力した画像の全範囲を示した画像中の選択された任意の位置を表示中心位置とし、前記表示中心位置を中心として前記折畳一区画分の画像を表示することを特徴とする請求項１１〜１７のいずれかに記載の画像形成の制御方法。
【請求項２０】
表示している画像の表示部分を移動するように指示する移動指示を入力し、前記移動指示に従って画像の表示部分を移動して、入力した画像の四隅または隣り合う四隅の中間または入力画像の中心を表示することを特徴とする請求項１１〜１７のいずれかに記載の画像形成の制御方法。
【請求項２１】
請求項１１〜２０のいずれかに記載の画像形成の制御方法をコンピュータで実行するための処理手順を記述したコンピュータプログラム。
【発明の詳細な説明】
【技術分野】
【０００１】
本発明は、画像形成装置に関し、特に、出力用紙折畳機能およびプレビュー機能を有する画像形成装置に関する。
【背景技術】
【０００２】
従来、A0やA1などの大きなサイズの用紙に印刷するプリンタが、建築図面用などに利用されている。モノクロか黒赤２色程度のものが主流であるが、フルカラーインクジェットプリンタもある。A0やA1などの大きなサイズの用紙の場合、折り畳んで管理されることが多いので、このようなプリンタには、出力用紙の折畳手段を備えているものがある。出力用紙の折畳手段を備えた画像形成装置は、出力用紙をユーザーが設定したサイズ自動で折り畳むことができる。プレビュー機能を持ち、印刷する前に画像を確認できる。折畳手段により作られる折り目と入力画像の両方を画像表示手段に表示することにより、出力用紙に出力された画像のどの部分に折り目が入るのかを確認することができる。以下に、これに関連する従来技術の例をいくつかあげる。
【０００３】
特許文献１に開示された「画像形成装置」は、簡単な作業で各種サイズに折ることが可能で、更にファイルや整理が可能な用紙に画像を形成する画像形成装置である。画像形成装置は、感光体の表面を露光して形成された静電潛像を現像して用紙に画像形成を行う。画像メモリに、読み取り画像等の画像の情報を記憶する。折位置目印メモリに、複数の折位置目印の情報を記憶する。入力部で、折位置目印メモリから所定の折位置目印を選択する。書込制御部で、感光体上に画像と共に折位置目印の静電潛像を形成するように書込みを制御する。
【０００４】
特許文献２に開示された「画像形成装置」は、ページ連写モードや拡大連写モード等、異なる画像を連続して形成する場合に、コピー開始前に、どのような画像がどのような順序で形成されるかを確認できるようにした装置である。操作部から、例えばページ連写モードを設定する。その後、プレビューキーを押し、画像読込キーを押すと、プリンタ部へ出力されるべき画像データが、プレビュー処理部へ出力され、CRTに出力画像が表示される。その際、コピー時の出力順序と同じ順序で出力画像が表示される。更に、出力画像の一括表示も選択できる。更に、プレビュー時の連続表示を所望のタイミングで一時停止、再開させることができる。
【特許文献１】特開平8-6172号公報
【特許文献２】特開平9-93378号公報
【発明の開示】
【発明が解決しようとする課題】
【０００５】
しかし、従来の画像形成装置では、次のような問題がある。折り目に関係のない大きさで表示がされるので、折り畳み後の仕上がりを確認したい場合に、表示範囲の移動や微調整を繰り返さなければならなくなってしまう。そのため、出力用紙に出力された画像へ与える折り目の影響を確認するのに手間がかかる。また、折り目に囲まれた一区画全体の様子などを確認することも簡単にはできない。
【０００６】
本発明の目的は、上記従来の問題を解決して、出力用紙の折畳手段を備えた画像形成装置において、プレビュー機能で折り畳み後の仕上がりを容易に確認できるようにすることである。
【課題を解決するための手段】
【０００７】
上記の課題を解決するために、本発明では、画像形成装置を、画像を入力する読取手段と、読取手段で入力した画像を記憶する画像記憶手段と、折畳条件を設定する折畳設定手段と、画像記憶手段から読み出した画像を表示する表示手段と、折畳条件に従って折畳一区画分の画像を表示手段に表示するように制御するプレビュー表示制御手段と、画像記憶手段から読み出した画像を出力用紙に印刷する印刷手段と、印刷した出力用紙を折畳条件通りに折り畳む折畳手段とを具備する構成とした。
【発明の効果】
【０００８】
上記のように構成したことにより、折畳みサイズに応じて、折り畳み後の各区画を効率的に表示することができる。これにより、ユーザーは、表示部分の切替えなどの煩わしい作業なしで、折り畳み後の一区画全体を一度で確認することができる。
【０００９】
また、出力用紙を折畳手段で一方向にのみ折り目がつくように折る場合、折畳手段により折り畳まれた方向と垂直な方向に、別の手段で折り畳む際の折り幅を入力できる。これにより、折畳手段で折り畳んだ折り目と、後に別の手段で折り畳む際の折り目の両方よって作られる折畳区画幅を、表示区画サイズとして表示することができる。
【００１０】
また、出力用紙を折畳手段で一方向にのみ折り目がつくように折る場合にも、出力用紙に作られた１つの細長い区画全域を表示手段に収まるように小さく表示するのではなく、一方の幅を折り幅と合わせ、もう一方の幅を表示手段に収まるように自動的に計算して、折り幅と表示手段のサイズを基準とした表示ができる。これにより、一方向の折り幅に合わせた大きさで出力用紙の画像を確認することができる。
【００１１】
さらに、一度の表示範囲移動キー押下での表示画像の移動距離を、ユーザーの指定した方向と平行する区画幅の整数分の１とすることで、一区画の全体表示と、区画の境界の折り目を含んだ表示を、ユーザーによる微調整なしに表示することが可能となる。
【００１２】
また、任意の位置へ表示位置切替えをする際、出力用紙全域を表示した全域画像から、ユーザーが任意の位置を選択することにより、A0やA1などのサイズの大きい出力用紙であっても、繰り返し切替指示を行うことなく、一度の操作で切替表示ができる。
【００１３】
また、ユーザーの一度の表示切替操作で、出力用紙の四隅や、辺の中間や、出力用紙の中心を表示でき、A0やA1などのサイズの大きい出力用紙であっても、表示切替指示を繰り返す必要がなくなる。
【発明を実施するための最良の形態】
【００１４】
以下、本発明を実施するための最良の形態について、図１〜図９を参照しながら詳細に説明する。
【実施例】
【００１５】
本発明の実施例は、画像を入力して記憶し、折畳条件を入力し、折畳条件に従って折り畳んだ場合の所望の一区画分の画像を、簡単な操作に応じてプレビュー表示し、入力画像を出力用紙に印刷して折畳条件通りに折り畳む画像形成装置である。
【００１６】
図１は、本発明の実施例における画像形成装置（複写機）の機能ブロック図である。図１において、読取手段１は、スキャナなどの画像入力手段である。記憶装置や通信手段を介して外部から画像を入力する手段でもよい。画像記憶手段２は、RAMまたはHDDなどのメモリである。印刷手段３は、画像出力手段である。折畳手段４は、印刷した紙を折り畳む手段である。折畳設定手段５は、どのように折り畳むかの指示を設定する手段である。プレビュー表示制御手段６は、入力画像を指示に従って表示するように制御する手段である。制御手段７は、これら手段を制御する手段である。液晶ディスプレイ８は、プレビュー画像や設定内容を表示するための手段である。キー入力部９は、ユーザーの命令を入力するための手段であり、各種キースイッチとタッチパネルなどを含む。タッチパネル10は、表示範囲の位置を指示する手段である。出力用紙全域表示11は、タッチパネルに表示された出力用紙の全域である。表示範囲枠12は、タッチパネルに表示された表示範囲の枠である。表示範囲移動キー13は、表示範囲の移動を指示するキーである。
【００１７】
表示範囲変更キー14は、表示範囲の変更を指示するキーである。ジャバラ折時表示幅変更キー15は、ジャバラ折時に表示幅の変更を指示するキーである。プリントキー16は、印刷開始を指示するキーである。表示範囲移動キー13〜プリントキー16は、キー入力部９を構成している。表示幅決定自動キー17は、表示幅を自動で決定することを指示するキーである。ユーザー指定キー18は、表示幅をユーザーが入力することを指示するキーである。表示幅入力欄19は、ユーザーが表示幅を入力する欄である。図１（ｂ）は、プレビュー操作表示部を示す図である。図１（ｃ）は、コピー操作部を示す図である。
【００１８】
図２は、画像形成装置の動作手順を示す流れ図である。図３は、ジャバラ折りとクロス折りを説明する図である。図４は、A0縦サイズの出力用紙をA4縦サイズに折り畳む場合のプレビュー方法を説明する図である。図５は、ジャバラ折時のプレビュー指示方法の説明図である。図６は、出力用紙縦方向に２本の擬似的な折り目を表示するプレビュー方法を説明する図である。図７は、表示幅決定を自動的に行うプレビュー方法を説明する。図８は、表示部分を他の部分へ移動するプレビュー方法を説明する図である。図９は、出力用紙の中心などを表示するプレビュー方法を説明する図である。
【００１９】
上記のように構成された本発明の実施例における画像形成装置の動作を説明する。最初に、図１を参照しながら、画像形成装置の機能の概略を説明する。折畳設定手段５で、どのように折り畳むかの指示を設定する。キー入力部９で、ユーザーの命令を入力する。読取手段１で、画像を読み取って入力する。画像記憶手段２に、読み取った画像を記憶する。プレビュー表示制御手段６で、入力画像を表示するように制御し、液晶ディスプレイ８に、プレビュー画像や設定内容を表示する。印刷指示に従って印刷手段３で画像を印刷する。折畳手段４で、印刷した紙を折り畳む。制御手段７では、これらの手段を制御する。
【００２０】
プレビュー表示制御手段６のプレビュー表示の制御動作を説明する。ADFに原稿を載せ、プリントキー16を押下すると、読取手段１により原稿が読み取られる。読み取られた原稿画像は、画像記憶手段２に転送され記憶される。ここで、入力画像をもとにプレビュー用の画像が作成され、プレビュー表示制御手段６に転送される。プレビュー表示制御手段６では、転送されてきたプレビュー用の画像を液晶ディスプレイ８に表示するとともに、折畳設定手段５にて設定された通りに折畳手段４で折り畳まれた場合の折り目を表示することができる。
【００２１】
次に、図２を参照しながら、画像形成装置の動作手順を説明する。ステップ１で、折畳設定手段５にて、折畳みの設定を入力する。ステップ２で、プリントキー16を押下し、原稿画像の読取りを開始する。ステップ３で、ADFに載せられた原稿を、読取手段１により読み取る。読み取られた原稿画像は、ステップ４で、画像記憶手段２に記憶される。ここで、原稿画像をもとに、プレビュー用の画像が作成される。折畳設定手段５にて設定された折り方と折り幅の通りに、原稿画像が折り畳まれた場合に作られる折り目を、ステップ５で計算する。ステップ６で、プレビュー表示制御手段６の制御により、プレビュー画像と折り目を折畳みサイズ単位ごとに、液晶ディスプレイ８にプレビュー表示する。ステップ７で、印刷開始かどうか調べる。液晶ディスプレイ８に表示された原稿画像と折り目を確認し、折畳みの設定を変更する場合は、ステップ８で、もう一度折畳みの設定を入力し、新しい設定でのプレビュー表示を行い、プレビュー表示を確認する。そのまま印刷すると、印刷後に、プレビューで確認した通りに折り畳まれる。
【００２２】
次に、図３を参照しながら、折畳み動作について説明する。折畳手段４では、印刷手段３から出力された出力用紙を、ジャバラ折りまたはクロス折りに折り畳むことができる。ジャバラ折りとは、図３（ａ）に示すように、出力用紙の搬送方向と垂直な折り目となるように、山折りと谷折りを繰り返す折り方である。クロス折りとは、図３（ｂ）に示すように、出力用紙の搬送方向と平行な折り目となるように、山折りと谷折りを繰り返す折り方である。折畳設定手段５では、印刷手段３で印刷された出力用紙を、折畳手段４にて、ジャバラ折りにするか、または、クロス折りにするか、または、折らないかのいずれかを設定することができる。出力用紙をジャバラ折りにする際は、ジャバラ折りの折り幅を指定することができる。出力用紙をクロス折りにする際は、折り畳み後の出力用紙サイズをA4やB5などの大きさで指定するか、ジャバラ折りの折り幅とクロス折りの折り幅を、それぞれ指定することができる。
【００２３】
次に、図４を参照しながら、A0縦サイズの出力用紙を、A4縦サイズに折り畳む場合のプレビュー方法を説明する。図４に示すように、出力用紙縦方向に３本の折り目が、出力用紙横幅を４等分するように作られ、出力用紙横方向にも３本の折り目が、出力用紙縦幅を４等分するように作られる。プレビュー表示制御手段６の制御により、折畳幅であるA4縦サイズの画像が、液晶ディスプレイ８の一画面に表示される。プレビュー表示制御手段６で、折り畳んだ一区画分の画像を、液晶ディスプレイ８に収まる最大の大きさで表示させる。表示倍率を決めておいて、最大より小さく表示するようにしてもよい。あるいは、液晶ディスプレイ８にいっぱいに収まるように、折り畳んだ一区画分の画像の縦横比を変えて表示してもよい。最初に表示される一区画分の画像は、出力用紙の右下あるいは左上などと決めておく。他の区画を表示したいときは、表示範囲移動キーなどで指示することで、簡単に所望の区画を表示できる。このように、折り畳み後の印刷画像を、折畳みサイズごとに表示するので、各区画を効率的に表示できる。ユーザーは、表示する部分を細かく指定するなどの煩わしい作業なしで、折り畳み後の一区画全体を一度で確認できる。
【００２４】
次に、図５と図６を参照しながら、出力用紙縦方向に２本の擬似的な折り目を表示するプレビュー方法を説明する。A0縦の出力用紙を、折り幅をA4のlong edgeと設定してジャバラ折りにする場合である。図５（ａ）に示すように、出力用紙横方向に３本の折り目が、出力用紙縦幅を４等分するように作られる。横幅がA0のshort edgeで、縦幅がA4のlong edgeの画像が、プレビュー表示制御手段６を介して液晶ディスプレイ８に表示される。ここで、図１（ｂ）に示すジャバラ折時表示幅変更キー15を押下すると、図６（ａ）の画面が表示され、表示幅をユーザーが指定するために、ユーザー指定キー18を押下する。すると、図６（ｂ）の画面が表示され、任意の表示幅を表示幅入力欄19に入力することができる。
【００２５】
例として、A0のshort edgeを３等分する長さを入力すると、図５（ｂ）に示すように、さらに出力用紙縦方向に２本の擬似的な折り目が、出力用紙横幅を３等分するように作られる。このとき、液晶ディスプレイ８に表示される出力用紙の画像は、縦幅がA4のlong edgeで、横幅がA0のshort edgeの1/3のサイズとなる。このようにして、折畳手段で折り畳んだ折り目と、後に別の手段で折り畳む際の折り目の両方によって作られる折畳区画幅を、表示区画サイズとして表示することができる。この例では、出力用紙横幅を３等分しているが、異なる幅で分けるようにしてもよい。折り目に平行な方向の用紙幅より短い任意の値を設定すれば、1/2と1/4と1/4とか、1/3と2/3とかの折り方も表示できる。整数比でない折り方も可能である。
【００２６】
次に、図７を参照しながら、表示幅を自動的に決定するプレビュー方法を説明する。A0縦の出力用紙を、折り幅をA4のlong edge（＝α）と設定してジャバラ折りにする場合を例とする。このとき、図７（ａ）に示すように、出力用紙横方向に３本の折り目が、出力用紙縦幅を４等分するように作られる。液晶ディスプレイ８には、横幅がA0のshort edgeで、縦幅がαの画像が表示される。ここで、図１（ｂ）に示すジャバラ折時表示幅変更キー15を押下すると、図６（ａ）の画面が表示される。表示幅を指定せず、液晶ディスプレイ８のプレビュー表示画面全体に表示する場合は、図６（ａ）の画面の表示幅決定自動キー17を押下する。図７（ｂ）に示すように、プレビュー表示画面の横幅をＸ、縦幅をＹとすると、キー押下後の出力用紙表示サイズβは、Ｘ：Ｙ＝β：αとなるように決定される。このようにして、一方の幅を折り幅に合わせ、もう一方の幅は、液晶ディスプレイ８に収まる幅を自動的に計算する。このとき、折畳区画の一部を表示することになるので、どの部分を表示するかは決まらない。予め、中心部分あるいは左右端部を表示するように決めておいてもよいが、折り目に平行な方向の表示中心位置を指定することで、所望の部分を表示させることができる。
【００２７】
一方向にのみ折り目がつくように、出力用紙を折畳手段で折る場合でも、出力用紙に作られた１つの細長い区画全域を表示手段に収まるように小さく表示するのではなく、折り幅と液晶ディスプレイ８のサイズを基準とした区画ごとの表示ができる。こうすることにより、一方向の折り幅に合わせた最大の拡大率で出力用紙の画像を確認できる。出力用紙の横方向にのみ折り目がつくように折り畳む場合の例を説明したが、出力用紙の縦方向にのみ折り目がつくように折り畳む場合でも、同様にして、折り幅を液晶ディスプレイ８の横方向の幅に合わせて最大に表示できる。
【００２８】
次に、図８を参照しながら、表示領域を出力用紙の他の部分へ移動するプレビュー方法を説明する。液晶ディスプレイ８で表示している表示部分を、出力用紙の他の部分へ移動する場合、表示部分の移動距離を画像区画の２分の１とする。図１（ｂ）の表示範囲移動キー13の上矢印キーを押下したときは、図８（ａ）に示すように、出力用紙の表示部分を、表示中の範囲のうちの上半分が次の表示範囲の下半分となるように、表示範囲を移動させる。同様に、左矢印キーを押下したときは、図８（ｂ）に示すように、出力用紙の表示部分を、表示中の範囲のうちの左半分が次の表示範囲の右半分となるように、表示範囲を移動させる。表示部分の移動距離は、画像区画の２分の１としたが、３分の１でも４分の１でも、整数分の１ならよい。０や負数は含まないので、整数とは自然数のことである。このようにして、一度の表示範囲移動キー13の押下での表示画像の移動距離を、ユーザーの指定した方向と平行する区画幅の整数分の１とすることで、一区画の全体表示と、区画の境界の折り目を含んだ表示を、ユーザーによる微調整なしに表示できる。
【００２９】
液晶ディスプレイ８で表示している表示部分を、出力用紙の他の部分へ変更する場合は、次のように操作することもできる。タッチパネルに表示されている出力用紙全域表示11上の任意の位置を押下すると、図８（ｃ）に示すように、押下された位置に相当する出力用紙の位置を中心とする範囲を、液晶ディスプレイ８に表示する。このように選択することにより、A0やA1などのサイズの大きい出力用紙であっても、繰り返し切替指示を行うことなく、一度の操作で切替表示ができる。
【００３０】
次に、図９を参照しながら、出力用紙の中心などを表示するプレビュー方法を説明する。液晶ディスプレイ８で表示している表示部分を、出力用紙の他の部分へ変更する場合、図９（ａ）に示すように、図１（ｂ）に示す表示範囲変更キー14の右下矢印キーを押下すると、出力用紙の右下角を表示する。表示範囲変更キー14の右矢印キーを押下すると、図９（ｂ）に示すように、出力用紙の右上角と右下角の中心を表示する。表示範囲変更キー14の中心キーを押下すると、図９（ｃ）に示すように、出力用紙の中心を表示する。このようにして、ユーザーの一度の表示切替操作で、出力用紙の四隅や辺の中間や出力用紙の中心を表示できる。A0やA1などのサイズの大きい出力用紙であっても、繰り返し表示切替指示を行う必要がない。
【００３１】
上記のように、本発明の実施例では、画像形成装置を、画像を入力して記憶し、折畳条件を入力し、折畳条件に従って折り畳んだ場合の所望の一区画分の画像を、簡単な操作に応じてプレビュー表示し、入力画像を出力用紙に印刷して折畳条件通りに折り畳む構成としたので、プレビュー機能で折り畳み後の仕上がりを容易に確認できる。
【産業上の利用可能性】
【００３２】
本発明の画像形成装置は、出力用紙折畳機能とプレビュー機能を有する画像形成装置で、折り畳み後の仕上がりを容易に確認できるものとして最適である。出力用紙折畳機能を備えていない画像形成装置の印刷物を手で折り畳む場合にも適用できる。
【図面の簡単な説明】
【００３３】
【図１】本発明の実施例における画像形成装置の機能ブロック図である。
【図２】本発明の実施例における画像形成装置の動作手順を示す流れ図である。
【図３】ジャバラ折りとクロス折りを説明する図である。
【図４】A0縦サイズの出力用紙をA4縦サイズに折り畳む場合のプレビュー方法を説明する図である。
【図５】出力用紙縦方向に２本の擬似的な折り目を表示するプレビュー方法を説明する図である。
【図６】ジャバラ折時のプレビュー指示方法の説明図である。
【図７】表示幅決定を自動的に行うプレビュー方法を説明する。
【図８】表示部分を他の部分へ移動するプレビュー方法を説明する図である。
【図９】出力用紙の中心などを表示するプレビュー方法を説明する図である。
【符号の説明】
【００３４】
１・・・読取手段、２・・・画像記憶手段、３・・・印刷手段、４・・・折畳手段、５・・・折畳設定手段、６・・・プレビュー表示制御手段、７・・・制御手段、８・・・液晶ディスプレイ、９・・・キー入力部、10・・・タッチパネル、11・・・出力用紙全域表示（タッチパネル）、12・・・表示範囲枠（タッチパネル）、13・・・表示範囲移動キー、14・・・表示範囲変更キー、15・・・ジャバラ折時表示幅変更キー、16・・・プリントキー、17・・・表示幅決定自動キー、18・・・ユーザー指定キー、19・・・表示幅入力欄。
【図１】
2007201761.tif 000003
【図２】
2007201761.tif 000004
【図３】
2007201761.tif 000005
【図４】
2007201761.tif 000006
【図５】
2007201761.tif 000007
【図６】
2007201761.tif 000008
【図７】
2007201761.tif 000009
【図８】
2007201761.tif 000010
【図９】
2007201761.tif 000011